(57)【要約】【課題】棚板や天井などに取り付けられる薄型の照明器具であって、カバーの取り換えが容易で、取り換えのための機構が破損しにくく、何度でも取り換られるものを提供する。【解決手段】取付面１０に嵌合して取り付けられる照明器具は、取付面１０の嵌合孔１０ａに嵌合すると共に、中心部に光源を備えた本体３と、光源からの光を通す貫通孔３ａが形成され、本体３の下面に、本体３の下面を覆って取り付けられる略平板状のカバー２とを有する。本体３には、カバー２が取り付けられる下面側に、カバー２の係止部２３が係止する係止孔３ｄが設けられており、カバー２は、本体３の下面側を覆って取り付けられる被着部２１と、被着部２１の周縁から外側に向かって延出し、取付面１０に隙間なく当接する周縁部２２と、からなり、周縁部２２の端部から離隔した被着部２１には、本体３の係止孔３ｄに対し、上下方向に着脱可能に係止する係止部２３が設けられている。【選択図】図２
2014086220.tif 000002
【特許請求の範囲】
【請求項１】
取付面に嵌合して取り付けられる照明器具であって、
取付面に設けられた嵌合孔に嵌合すると共に、中心部に光源を備えた本体と、
上記光源からの光を通す貫通孔が形成され、上記本体の下面に、上記本体の下面を覆って取り付けられる略平板状のカバーと、を有し、
上記本体には、
上記カバーが取り付けられる下面側に、上記カバーの係止部が係止する係止孔が設けられており、
上記カバーは、
上記本体の下面側を覆って取り付けられる被着部と、当該被着部の周縁から外側に向かって延出し、上記取付面に隙間なく当接する周縁部と、からなり、
上記周縁部の端部から離隔した上記被着部には、上記本体の係止孔に対し、上下方向に着脱可能に係止する係止部が設けられている、
ことを特徴とする照明器具。
【請求項２】
上記係止部は、上記カバーの本体側の面に一対、立設して設けられている、
請求項１記載の照明器具。
【請求項３】
上記貫通孔は、上記光源からの光を透過させる透光性部材で塞がれている、
請求項１又は２記載の照明器具。
【請求項４】
上記カバーは、略円盤形状からなる、
請求項１乃至３いずれかの項に記載の照明器具。
【請求項５】
上記カバーの被着部は、下面部に傾斜がつけられ、厚みが中心方向に向かって徐々に薄くなっている、
請求項１乃至４いずれかの項に記載の照明器具。
【請求項６】
取付面に設けられた嵌合孔に嵌合すると共に、中心部に光源を備え、カバーが取り付けられる下面側に、当該カバーの係止部が係止する係止孔が設けられた本体を有する照明器具において、当該本体の下面に、当該本体の下面を覆って取り付けられる略平板状のカバーであって、
上記本体の下面側を覆って取り付けられる被着部と、当該被着部の周縁から外側に向かって延出し、上記取付面に隙間なく当接する周縁部と、からなり、
上記光源からの光を通すために形成された貫通孔と、
上記周縁部の端部から離隔した上記被着部に設けられ、上記本体の係止孔に対し、上下方向に着脱可能に係止する係止部と、を有する、
ことを特徴とする照明器具のカバー。
【発明の詳細な説明】
【技術分野】
【０００１】
本発明は、棚板や天井等に取り付けられる照明器具であって、本体を覆うカバーを容易に取り替えることのできるものに関する。
【背景技術】
【０００２】
近年、消費電力が少なく、寿命の長いＬＥＤ（発光ダイオード）が照明器具の光源として採用されることが多くなっている。スポットライトやダウンライトといった類の照明器具についても、ＬＥＤが光源として採用されている。
【０００３】
例えば、特許文献１では、天井の開口に埋め込んで取り付けられるダウンライトの下面開放部に付属品を取り付けるダウンライトであって、前記開口に位置する枠と、下端が前記枠の内側に位置する反射笠と、前記枠に着脱可能に取り付けられる付属品とを備え、前記付属品の外周付近に立設した板バネが前記枠の内縁に形成した切り欠きと前記反射笠の下端縁で囲まれた空間に通され、その板バネに形成した係止部が前記切り欠きに係止されるものが提案されている。
また、特許文献２では、光源と、環状の側壁部および側壁部の内側に設けられ、光源の光を反射する反射面を有する反射体と、反射体の反射面を覆うと共に、反射体の側壁部に係止する係止部を有する透光性のカバー部材と、カバー部材を係止した反射体を、その係止部を内包して収容し、側壁部に対して外側方向への係止部の移動を規制する器具本体とを具備した照明器具が提案されている。
また、特許文献３では、平面状の光源と、一対の電極ピンを備えた口金部と、この口金部内側に収容された点灯回路と、係合爪が形成された透光性カバーと、平面上の光源が取り付けられる取付部およびこの取付部の周囲を囲むように設けられた外周部を有し、外周部の内側には透光性カバーの回転を防止するように前記係合爪に係合する係合部が設けられており、この係合部と係合爪との係合により透光性カバーが光源を覆うように被着され、取付部の反対側には口金部が配設された金属製の本体部とを具備しているランプ装置が提案されている。
【先行技術文献】
【特許文献】
【０００４】
【特許文献１】特開２００４−３６２９８９号公報
【特許文献２】特開２０１０−７３６５０号公報
【特許文献３】特開２０１１−７０９７４号公報
【発明の概要】
【発明が解決しようとする課題】
【０００５】
特許文献１記載のダウンライトでは、枠に取り付けられる付属品を構成する枠体の板バネが、枠体の端部に設けられているが、板バネは経年によって付勢力が弱まり、脱落のおそれがある。
また、特許文献２記載の照明器具では、カバー部材の係止部が端部に設けられているため、カバー部材を外す際に係止部に過度の応力がかかりやすく、係止部が破損しやすい。
また、特許文献３記載のランプ装置では、透光性カバーの係合爪が、取付部の係合部に回転して係合する構造となっているため、透光性カバーを回転させるのに把持できるだけの厚みが必要となってしまう。
【０００６】
そこで、本発明は、棚板や天井などに取り付けられる薄型の照明器具であって、カバーの取り換えが容易で、取り換えのための機構が破損しにくく何度でも取り換えることのできるものを提供することを目的とする。
【課題を解決するための手段】
【０００７】
上記目的を達成するため、本発明の一の観点に係る照明器具は、取付面に嵌合して取り付けられる照明器具であって、取付面に設けられた嵌合孔に嵌合すると共に、中心部に光源を備えた本体と、上記光源からの光を通す貫通孔が形成され、上記本体の下面に、上記本体の下面を覆って取り付けられる略平板状のカバーと、を有し、上記本体には、上記カバーが取り付けられる下面側に、上記カバーの係止部が係止する係止孔が設けられており、上記カバーは、上記本体の下面側に覆って取り付けられる被着部と、当該被着部の周縁から外側に向かって延出し、上記取付面に隙間なく当接する周縁部と、からなり、上記周縁部の端部から離隔した上記被着部には、上記本体の係止孔に対し、上下方向に着脱可能に係止する係止部が設けられていることを特徴とする。
【０００８】
また、上記係止部は、上記カバーの本体側の面に一対、立設して設けられているものとしてもよい。
【０００９】
また、上記貫通孔は、上記光源からの光を透過させる透光性部材で塞がれているものとしてもよい。
【００１０】
また、上記カバーは、略円盤形状からなるものとしてもよい。
【００１１】
また、上記カバーの被着部は、下面部に傾斜がつけられ、厚みが中心方向に向かって徐々に薄くなっているものとしてもよい。
【００１２】
また、本発明の別の観点に係る照明器具用カバーは、取付面に設けられた嵌合孔に嵌合すると共に、中心部に光源を備え、カバーが取り付けられる下面側に、当該カバーの係止部が係止する係止孔が設けられた本体を有する照明器具において、当該本体の下面に、当該本体の下面を覆って取り付けられる略平板状のカバーであって、上記本体の下面側を覆って取り付けられる被着部と、当該被着部の周縁から外側に向かって延出し、上記取付面に隙間なく当接する周縁部と、からなり、上記光源からの光を通すために形成された貫通孔と、上記周縁部の端部から離隔した上記被着部に設けられ、上記本体の係止孔に対し、上下方向に着脱可能に係止する係止部と、を有することを特徴とする。
【発明の効果】
【００１３】
本発明によれば、棚板や天井などの取付面に取り付けられる照明器具は、カバーの取り換えが容易で、取り換えのための機構が破損しにくく何度でも取り換えることのでき、さらに薄型にすることができる。
【図面の簡単な説明】
【００１４】
【図１】本発明の実施形態に係る照明器具であって、取付面に取り付けられた状態を示す外観斜視図である。
【図２】本実施形態に係る照明器具の分解斜視図である。
【図３】本実施形態に係る照明器具であって、取付面に取り付けられた状態を示す断面図である。
【図４】本実施形態に係る照明器具を構成するカバーを示す断面図である。
【図５】本実施形態に係る照明器具を構成する本体を示す断面図である。
【図６】本実施形態に係る照明器具であって、取付面から取り外す際の様子を示す断面図である。
【発明を実施するための形態】
【００１５】
以下、本発明の実施形態に係る照明器具について、図を参照して説明する。
図１に示されるように、本実施形態に係る照明器具１は所謂ダウンライトであって、天井や棚板などの取付面１０に取り付けられる。
本実施形態において、照明器具１は図２、３に示されるように、取付面１０に設けられた嵌合孔１０ａに本体３の嵌合部３０が嵌合すると共に、取付面１０に設けられたネジ孔１０ｂに、本体３の挿通孔３ｂに挿通されたネジ３ｃが螺合することによって、取付面１０に取り付けられている。
【００１６】
この照明器具１は、光源４や、外部電力からの電力を光源４に供給するための機構を内部に収容した本体３と、この本体３に着脱可能に取り付けられ、本体３に被着されて照明器具１の外観を意匠性の高いものとするカバー２とからなる。
また、本体３の内部には、図３に示されるように、ＬＥＤ素子４２が組み込まれた基板４１を有する光源４が取り付けられており、光源４からの光は貫通孔２ａ及び貫通孔３ａを通して外部へ出射され、この光によって対象物や周辺が照らされる。
【００１７】
カバー２は、本体３に着脱可能に取り付けられて、取付面１０に取り付けられた状態で露出する本体３の下面部を覆い隠す部材である。
このカバー２は、薄い略円盤形状からなり、金属や樹脂などの各種の材料によって製造することができる。また、図４に示されるように、本体３の下面全体に被着される被着部２１、被着部２１の周縁を形成する周縁部２２、及び被着部２１に設けられた係止部２３から構成される。
【００１８】
被着部２１は、本体３の下面全体の形状及びサイズに応じた形状及びサイズからなる。また、この被着部２１は、その上面が、本体３の舌片部３１３（図５参照）の厚みの分だけ、周縁部２２の上面よりも深い位置に形成されており、図３に示されるように、本体３にカバー２が取り付けられた際、本体３の舌片部３１３の上面と、カバー２の周縁部２２の上面とが面一となる。
さらに、被着部２１の中心には、本体３の貫通孔３ａと重なる位置に、光源４からの光を通すための円形状の貫通孔２ａが形成されている。
【００１９】
また、本例において、この被着部２１は、貫通孔２ａが形成されている中心に向かって徐々に厚さが薄くなるように下面部に傾斜がついている。この傾斜が形成されていることで、このような傾斜がない場合に比して、取付面１０に取り付けられた照明器具１は全体としてすっきりとして印象を看者に与えることができ、意匠性の高いものとなっている。
【００２０】
周縁部２２は、円形の被着部２１と同心円を形成するように、被着部２１の周縁から外側へ延出した部分である。
この周縁部２２の上面は、被着部２１の上面よりも本体３の舌片部３１３の厚みの分だけ高い位置にあり、本体３にカバー２が取り付けられた際、本体３の舌片部３１３の上面と面一となる。さらに、この周縁部２２は、図３に示されるように、カバー２と本体３によって一体的に構成された照明器具１が取付面１０に取り付けられた際、その上面が取付面１０に隙間なく当接する。
【００２１】
係止部２３は、本体３の係止孔３ｄに係止し、これによりカバー２を本体３に取り付けるための部分であり、カバー２あるいは周縁部２２の端部から離隔した被着部２１において、貫通孔２ａを挟んで対称な位置に一対、設けられている。
この係止部２３は、被着部２１の上面から上方へ直角に立設した略棒状の立設部２３１と、立設部２３１の先端において、鉤爪状に内側へ僅かに張り出した係止爪２３２とからなる。
【００２２】
そして、この係止部２３は、本体３にカバー２が取り付けられる際、本体３の係止孔３ｄ内の係止片３２２に係止部２３の係止爪２３２がかかることによって本体３の係止孔３ｄに係止され、これにより、カバー２が本体３に着脱可能に取り付けられる。
【００２３】
本体３は、取付面１０の嵌合孔１０ａに嵌合して取り付けられると共に、取付面１０に取り付けられた状態でカバー２によって覆い隠される部材であって、内部に光源４や光源４を点灯させるための電気回路などを収容する。
この本体３は、図５に示されるように、枠体３１、本体カバー３２、及び光源４からなる。
【００２４】
枠体３１は、内部に光源４や電気回路を収容する部材であり、断面略ハット状に構成されている。この枠体３１は、円形状の天面部３１１と、天面部３１１の端部から下方に延出した立設部３１２と、立設部３１２の下端から、天面部３１１と平行に外側へ延出した舌片部３１３とからなる。
また、天面部３１１と立設部３１２は、取付面１０に設けられた嵌合孔１０ａに嵌合する嵌合部３０を一体的に構成する。
【００２５】
天面部３１１には、中心部下面側に、ＬＥＤ素子４２が組み込まれた基板４１を備えた光源４が取り付けられている。
また、天面部３１１の下面側には、枠体３１に本体カバー３２を取り付けるためのネジ３ｅが螺合する螺合部３１４が設けられている。螺合部３１４は、下端が開口した中空の略筒型形状からなり、天面部３１１の下面から下方に延び出ている。この螺合部３１４の内周面には、ネジ３ｅの外周面に形成された雄ネジに螺合する雌ネジが形成されており、本体カバー３２の挿通孔３ｆに挿通されたネジ３ｅが、下端の開口部から螺入され、これにより本体カバー３２が枠体３１に取り付けられる。
【００２６】
舌片部３１３は、その上面側が、嵌合孔１０ａの周縁近傍の取付面１０に下方から当接する部分である。
この舌片部３１３には、ネジ３ｃが挿通される挿通孔３ｂが形成されている。この挿通孔３ｂにネジ３ｃが挿通されると共に、当該ネジ３ｃが取付面１０のネジ孔１０ｂに螺合することにより、本体３が取付面１０に取り付けられる。
【００２７】
本体カバー３２は、枠体３１を下面側からカバーする略平板状の部材である。
この本体カバー３２は、貫通孔３ａ、係止孔３ｄ、及び挿通孔３ｆが形成された平板状の底面部３２１と、底面部３２１の一部を上方へ立設させて設けられた一対の係止片３２２とからなる。
【００２８】
貫通孔３ａは、枠体３１内に取り付けられた光源４からの光を外部へ出射させるための孔である。
挿通孔３ｆは、枠体３１の螺合部３１４に対応する位置に形成された孔である。この挿通孔３ｆには、下方からネジ３ｅが挿通され、このネジ３ｅが螺合部３１４内に螺入されることにより、本体カバー３２が枠体３１に取り付けられる。
【００２９】
係止孔３ｄは、係止片３２２と共に、カバー２の係止部２３と係止する係止機構を構成する。係止孔３ｄに挿し込まれた係止部２３は、係止爪２３２が係止片３２２の上端に係止され、これにより、カバー２が本体３に着脱可能に取り付けられる。
【００３０】
光源４は、基板４１と、この基板４１上に形成された電気回路を構成するＬＥＤ素子４２などからなり、この光源４からの光が外部を照らす。なお、図示しないが、基板４１上の電気回路はＬＥＤ素子４２のほか、整流素子や抵抗素子などの素子によって構成されており、また、基板４１に外部電源からの電力を供給するためのリード線等も適宜、取り付けられている。
【００３１】
続いて、以上の構成からなる照明器具１を取付面１０に取り付ける工程を説明する。
まず、図２、３に示されるように、照明器具１を設置する取付面１０に、本体３が嵌合する嵌合孔１０ａと、ネジ孔１０ｂを形成する。
【００３２】
予め本体カバー３２を枠体３１に取り付けた本体３を用意し、本体３の嵌合部３０を取付面１０の嵌合孔１０ａに嵌合させる。
そして、ネジ３ｃを挿通孔３ｂに挿通させると共にネジ孔１０ｂに螺合させ、これにより本体３が取付面１０に取り付けられる。
【００３３】
次に、カバー２の係止部２３と本体３の係止孔３ｄの位置を合わせた状態で、カバー２を本体３の下面側に下方からあてがって押し上げ、カバー２の係止部２３を、本体３の係止孔３ｄに係止させる。これにより、カバー２が本体３に上下方向に着脱可能に取り付けられ、取付面１０への照明器具１の取り付けが完了する。
【００３４】
最後に、取付面１０に取り付けた照明器具１について、カバー２を取り外す工程を説明する。
カバー２の取り外しに際しては、図６に示されるように、カバー２の周縁部２２と取付面１０が当接する部分に、外側からヘラ５を差し込み、梃子の要領でカバー２を下方に押し下げる。これにより、係止爪２３２が係止片３２２から外れ、係止部２３と係止孔３ｄとの係止が解除される。その結果、カバー２が本体３から取り外され、本体３の下面部が露出した状態となる。
【００３５】
以上の本実施形態に係る照明器具１によれば、係止部２３がカバー２あるいはカバー２の周縁部２２の端部から内側へ離隔した位置に形成されていることから、カバー２の端部からヘラ５を差し込んでカバー２を本体３から取り外す際に係止部２３にかかる力を小さいものとすることができる。その結果、カバー２の取り外しの際に係止部２３が破損することがない。
また、係止部２３と係止孔３ｄは夫々、一対形成されているのみで、大した力を必要とすることなく、容易に着脱することができる。
また、カバー２の取り外しは、カバー２の周縁部２２と取付面１０が当接する部分にヘラ５を差し込んで行えばよいため、即ち、照明器具１の厚みのうち、取付面１０から張り出すカバー２の厚みを薄いものとすることができる。
このように、本実施形態では容易にカバー２を着脱できるので、取り換え用のカバー２を各種用意し、使用者の好みに応じて自由に取り換えられるようにするとよい。
【００３６】
なお、以上の本実施形態において、ネジ３ｃ、３ｅ、挿通孔３ｂ、３ｆ、ネジ孔１０ｂ、螺合部３１４の数や形状等は、適宜の設計変更が可能であり、上述の例に限定されることはない。
また、ネジ孔１０ｂは必ずしも、ネジ３ｃを螺合させる前に予め設けておく必要はなく、例えば、ネジ３ｃとしてタッピンネジを用いることで、ネジ３ｃを取付面１０に螺入させることによって形成させるものとしてもよい。
【００３７】
また、カバー２と本体３は、係止部２３と係止孔３ｄによる係止構造によって着脱されるが、設置面１０に対して上下方向に着脱可能な構造であれば、係止部２３と係止孔３ｄの構造は特に本例に限らない。
【００３８】
また、以上の本実施形態においては、照明器具１の光源４からの光は、貫通孔３ａ、２ａを介して外部へ出射されるものとしてが、これに限らず、貫通孔３ａ、２ａのいずれか、あるいは両方を、透明又は半透明のガラスや樹脂からなる透過性の部材で塞いでおき、光源４の光を当該透過性の部材を透過させて、外部を照らすようにしてもよい。
【符号の説明】
【００３９】
１      照明器具
１０    取付面
１０ａ  嵌合孔
１０ｂ  ネジ孔
２      カバー
２ａ    貫通孔
２１    被着部
２２    周縁部
２３    係止部
２３１  立設部
２３２  係止爪
３      本体
３ａ    貫通孔
３ｂ    挿通孔
３ｃ    ネジ
３ｄ    係止孔
３ｅ    ネジ
３ｆ    挿通孔
３０    嵌合部
３１    枠体
３１１  天面部
３１２  立設部
３１３  舌片部
３１４  螺合部
３２    本体カバー
３２１  底面部
３２２  係止片
４      光源
４１    基板
４２    ＬＥＤ素子
５      ヘラ
【図１】
2014086220.tif 000003
【図２】
2014086220.tif 000004
【図３】
2014086220.tif 000005
【図４】
2014086220.tif 000006
【図５】
2014086220.tif 000007
【図６】
2014086220.tif 000008